(57)【要約】【課題】簡単な構成で必要な撮影画像のみを保存することが可能な画像撮影装置及び画像撮影システムを提供することを目的とする。【解決手段】撮像部６と、内蔵される振動部材の振動を検出する振動計４と、振動計４が検出する振動の数をカウントするカウンタ５と、予め所定値が記録されるメモリ７と、カウンタ５のカウント値がメモリ７に記録される所定値以上であるか否かを判断し、カウント値が所定値以上であると判断すると、撮像部６に撮影指示を送り撮像部６に撮影を行わせるＣＰＵ２とを備えて画像撮影装置１を構成する。【選択図】図１
2008236413.tif 000002
【特許請求の範囲】
【請求項１】
ユーザの体に取り付けられる画像撮影装置であって、
撮像手段と、
ユーザの歩数を検出する歩数検出手段と、
前記歩数検出手段により検出される歩数が所定値以上であるか否かを判断する判断手段と、
前記歩数が前記所定値以上であると前記判断手段が判断すると、前記撮像手段を動作させる撮像制御手段と、
を備えることを特徴とする画像撮影装置。
【請求項２】
ユーザの体に取り付けられる画像撮影装置であって、
撮像手段と、
環境光を検出する環境光検出手段と、
前記環境光検出手段により検出される環境光の変化量が所定値以上であるか否かを判断する判断手段と、
前記環境光の変化量が前記所定値以上であると前記判断手段が判断すると、前記撮像手段を動作させる撮像制御手段と、
を備えることを特徴とする画像撮影装置。
【請求項３】
請求項１または請求項２に記載の画像撮影装置であって、
前記撮像手段により撮影された画像を記録する記録手段と、
前記記録手段に記録される今回撮影された画像内の人物の数と前記記録手段に記録される前回撮影された画像内の人物の数とを比較する比較手段と、
を備え、
前記比較手段の比較結果において、前記今回撮影された画像内の人物の数と前記前回撮影された画像内の人物の数とが同じでないとき、前記今回撮影された画像を前記記録手段に記録する、
ことを特徴とする画像撮影装置。
【請求項４】
ユーザの体に取り付けられる画像撮影装置及び歩数検出装置がそれぞれサーバとネットワークを介して通信可能である画像撮影システムであって、
前記画像撮影装置は、
撮影指示により撮影を行う撮像手段と、
前記サーバから前記撮影指示を受信すると共に前記撮像手段により撮影された画像を前記サーバへ送信する第１のネットワーク通信手段と、
を備え、
前記歩数検出装置は、
ユーザの歩数を検出する歩数検出手段と、
前記歩数検出手段により検出される歩数を前記サーバへ送信する第２のネットワーク通信手段と、
を備え、
前記サーバは、
前記歩数が所定値以上であるか否かを判断する判断手段と、
前記歩数検出装置から前記歩数を受信すると共に、前記歩数が前記所定値以上であると前記判断手段が判断すると、前記画像撮影装置へ前記撮影指示を送信する第３のネットワーク通信手段と、
を備えることを特徴とする画像撮影システム。
【請求項５】
ユーザの体に取り付けられる画像撮影装置及び環境光検出装置がそれぞれサーバとネットワークを介して通信可能である画像撮影システムであって、
前記画像撮影装置は、
撮影指示により撮影を行う撮像手段と、
前記サーバから前記撮影指示を受信すると共に前記撮像手段により撮影された画像を前記サーバへ送信する第１のネットワーク通信手段と、
を備え、
前記環境光検出装置は、
環境光を検出する環境光検出手段と、
前記環境光検出手段により検出される環境光を前記サーバへ送信する第２のネットワーク通信手段と、
を備え、
前記サーバは、
前記環境光の変化量が所定値以上であるか否かを判断する判断手段と、
前記環境光検出装置から前記環境光を受信すると共に、前記環境光の変化量が前記所定値以上であると前記判断手段が判断すると、前記画像撮影装置へ前記撮影指示を送信する第３のネットワーク通信手段と、
を備えることを特徴とする画像撮影システム。
【発明の詳細な説明】
【技術分野】
【０００１】
本発明は、ユーザの体に取り付けられて自動的に撮影を行う画像撮影装置及びその画像撮影装置を備える画像撮影システムに関する。
【背景技術】
【０００２】
ウェブログを自動作成するために、例えば、ユーザの体にデジタルカメラなどの画像撮影装置（ウェアラブルカメラ）を取り付けて一日の間に定期的に撮影を行うことが考えられている。これにより、ユーザがその日に行った場所やユーザがその日に会った人物を自動的に撮影することができ、それらの撮影画像を使ってそのユーザのその日の行動を示すウェブログを自動的に作成することができる。
【０００３】
しかしながら、上述のように、定期的に撮影を行う場合は、画像撮影装置の消費電力が増大するという問題がある。また、画像を記録するためのメモリの容量も増大してしまうという問題がある。さらに、同じような画像が複数撮影され余分な画像が多くなるとウェブログ作成時に画像の整理が大変になるという問題がある。
【０００４】
そこで、ユーザの目の前のシーンが変わったときのみ、画像撮影装置を起動し撮影を行うことが考えられる。例えば、デジタルカメラに内蔵されるＧＰＳを用いてユーザが所定距離を移動する度に画像撮影装置を起動し撮影を行うことが考えられる（例えば、特許文献１参照）。また、デジタルカメラに内蔵される時計を用いて一定時間経過毎に画像撮影装置を起動し撮影を行うことが考えられる。さらに、前回撮影された画像と今回撮影された画像の差を検出して、その差が小さい場合、今回撮影された画像を保存しないようにすることが考えられる。これにより、ウェブログの作成に必要な画像のみを取得することができるため、画像撮影装置の消費電力を低減することができる。また、メモリの容量も低減することができる。さらに、余分な画像がないため、ウェブログ作成時の画像の整理を簡単にすることができる（例えば、特許文献２参照）。
【特許文献１】特開２００６−７４５４７号公報
【特許文献２】特開２００４−１８７０１８号公報
【発明の開示】
【発明が解決しようとする課題】
【０００５】
しかしながら、上述のように、ＧＰＳを用いてユーザが所定距離を移動する度に撮影を行う構成は、ユーザが室内や車内にいると、ＧＰＳがうまく動作しなくなる場合があり、必要な画像を撮影することができなくなるおそれがある。
【０００６】
また、時計を用いて一定時間経過毎に撮影を行う構成は、ユーザがオフィスや家の中にいると、一定時間経過してもユーザの目の前のシーンが変わらない場合があり、余分な画像を保存してしまうおそれがある。
【０００７】
また、前回撮影された画像と今回撮影された画像との互いの差が小さい場合に今回撮影された画像を保存しないという構成は、画像の比較に比較的重い処理が必要なため画像撮影装置の構成が複雑になりユーザの体に取り付けるための画像撮影装置として適さなくなるという問題がある。
【０００８】
そこで、本発明では、簡単な構成で必要な撮影画像のみを保存することが可能な画像撮影装置及び画像撮影システムを提供することを目的とする。
【課題を解決するための手段】
【０００９】
上記の課題を解決するために本発明では、以下のような構成を採用した。
すなわち、本発明の画像撮影装置は、ユーザの体に取り付けられる画像撮影装置であって、撮像手段と、ユーザの歩数を検出する歩数検出手段と、前記歩数検出手段により検出される歩数が所定値以上であるか否かを判断する判断手段と、前記歩数が前記所定値以上であると前記判断手段が判断すると、前記撮像手段を動作させる撮像制御手段とを備える。
【００１０】
また、本発明の画像撮影装置は、ユーザの体に取り付けられる画像撮影装置であって、撮像手段と、環境光を検出する環境光検出手段と、前記環境光検出手段により検出される環境光の変化量が所定値以上であるか否かを判断する判断手段と、前記環境光の変化量が前記所定値以上であると前記判断手段が判断すると、前記撮像手段を動作させる撮像制御手段とを備える。
【００１１】
また、上記画像撮影装置は、前記撮像手段により撮影された画像を記録する記録手段と、前記記録手段に記録される今回撮影された画像内の人物の数と前記記録手段に記録される前回撮影された画像内の人物の数とを比較する比較手段とを備え、前記比較手段の比較結果において、前記今回撮影された画像内の人物の数と前記前回撮影された画像内の人物の数とが同じでないとき、前記今回撮影された画像を前記記録手段に記録するように構成してもよい。
【００１２】
また、本発明の画像撮影システムは、ユーザの体に取り付けられる画像撮影装置及び歩数検出装置がそれぞれサーバとネットワークを介して通信可能である画像撮影システムであって、前記画像撮影装置は、撮影指示により撮影を行う撮像手段と、前記撮像手段により撮影された画像を前記サーバへ送信すると共に前記サーバから前記撮影指示を受信する第１のネットワーク通信手段とを備え、前記歩数検出装置は、ユーザの歩数を検出する歩数検出手段と、前記歩数検出手段により検出される歩数を前記サーバへ送信する第２のネットワーク通信手段とを備え、前記サーバは、前記歩数が所定値以上であるか否かを判断する判断手段と、前記歩数検出装置から前記歩数を受信すると共に、前記歩数が前記所定値以上であると前記判断手段が判断すると、前記画像撮影装置へ前記撮影指示を送信する第３のネットワーク通信手段とを備える。
【００１３】
また、本発明の画像撮影システムは、ユーザの体に取り付けられる画像撮影装置及び環境光検出装置がそれぞれサーバとネットワークを介して通信可能である画像撮影システムであって、前記画像撮影装置は、撮影指示により撮影を行う撮像手段と、前記サーバから前記撮影指示を受信すると共に前記撮像手段により撮影された画像を前記サーバへ送信する第１のネットワーク通信手段とを備え、前記環境光検出装置は、環境光を検出する環境光検出手段と、前記環境光検出手段により検出される環境光を前記サーバへ送信する第２のネットワーク通信手段とを備え、前記サーバは、前記環境光の変化量が所定値以上であるか否かを判断する判断手段と、前記環境光検出装置から前記環境光を受信すると共に、前記環境光の変化量が前記所定値以上であると前記判断手段が判断すると、前記画像撮影装置へ前記撮影指示を送信する第３のネットワーク通信手段とを備える。
【発明の効果】
【００１４】
本発明によれば、ユーザの体に取り付けられ自動的に撮影を行う画像撮影装置またはその画像撮影装置を備える画像撮影システムにおいて、簡単な構成で必要な撮影画像のみを保存することができる。
【発明を実施するための最良の形態】
【００１５】
以下、図面を用いて本発明の実施形態を説明する。
図１は、本発明の実施形態の画像撮影装置を示す図である。
図１に示す画像撮影装置１は、ＣＰＵ２と、電源スイッチ３と、振動計４と、カウンタ５と、撮像部６と、メモリ７と、表示部８と、操作部９と、メディア記録部１０とを備えて構成されている。画像撮影装置１はユーザの体に取り付けられ自動的に撮影を行うものであって、画像撮影装置１で撮影された画像は、例えば、ウェブログを作成する際に使用される。なお、特許請求の範囲に記載される歩数検出手段は、例えば、振動計４やカウンタ５により構成されるものとする。また、特許請求の範囲に記載される判断手段や撮像制御手段は、例えば、ＣＰＵ２やメモリ７により構成されるものとする。
【００１６】
ＣＰＵ２は、電源スイッチ３がユーザの操作などによりオンすると駆動し、撮像部６や表示部８などの動作を制御する。
振動計４は、内蔵される振動部材の振動を検出する。
【００１７】
カウンタ５は、振動計４が検出する振動の数をカウントする。このカウンタ５のカウント値は、ユーザが移動する際の歩数に相当するものとする。
撮像部６は、レンズや撮像素子などから構成され、ＣＰＵ２から送られてくる撮影指示に基づいて撮影を行う。
【００１８】
メモリ７は、撮像部６で撮影された画像や後述する所定値などを記録する。なお、図１に示すメモリ７に記録される所定値はユーザの歩数（カウンタ５のカウント値）やユーザの目の前のシーンの変化などから求められる値とする。
【００１９】
表示部８は、例えば、液晶や有機ＥＬなどから構成され、撮像部６で撮影された画像を表示する。
操作部９は、撮像部６を手動で動作させるためのレリーズボタンや設定値変更ボタンなどから構成される。例えば、設定値変更ボタンがユーザなどにより操作されることにより、メモリ７に記録される所定値などが変更されるものとする。
【００２０】
メディア記録部１０は、例えばＣＤ−Ｒ、フレキシブルディスク、ＭＯ、ＤＶＤなどのメディアに撮像部６で撮影された画像などを記録する。
図２は、画像撮影装置１におけるＣＰＵ２の動作のフローチャートを示す図である。
【００２１】
まず、電源スイッチ３がオンし、ＣＰＵ２が起動すると、ＣＰＵ２は、振動計４及びカウンタ５を起動させる。（ステップＳ１）
次に、ＣＰＵ２は、カウンタ５のカウント値を読み込む。（ステップＳ２）
次に、ＣＰＵ２は、読み込んだカウント値がメモリ７に記録される所定値以上であるか否かを判断する。（ステップＳ３）
読み込んだカウント値が所定値以上でないと判断した場合（ステップＳ３がＮｏ）、ＣＰＵ２は、ステップＳ２に戻り、再びカウンタ５のカウント値を読み込む。
【００２２】
一方、読み込んだカウント値が所定値以上であると判断した場合（ステップＳ３がＹｅｓ）、ＣＰＵ２は、撮像部６を起動させる。（ステップＳ４）
次に、ＣＰＵ２は、撮像部６へ撮影指示を送り撮像部６に撮影を行わせる。（ステップＳ５）
次に、ＣＰＵ２は、撮像部６で撮影された画像をメモリ７やメディアなどに記録する。（ステップＳ６）
次に、ＣＰＵ２は、撮像部６を停止させる。（ステップＳ７）
次に、ＣＰＵ２は、カウンタ５のカウント値をリセットした後（ステップＳ８）、ステップＳ２に戻り、再びカウンタ５のカウント値を読み込む。
【００２３】
そして、電源スイッチ３がオフされるまでステップＳ２〜ステップＳ８が繰り返される。
図１に示す画像撮影装置１は、カウンタ５のカウント値が所定値以上であるときのみ撮影を行っているので、ＧＰＳを用いてユーザの所定移動距離毎に撮影を行う構成に比べて、簡単な構成で、かつ、室内や車内などにおいても確実にユーザが移動する度に撮影を行うことができる。また、図１に示す画像撮影装置１は、ユーザが移動したときのみ撮影を行うことができるので、時計を用いて一定時間経過毎に撮影を行う構成に比べて、より高い確率でユーザの目の前のシーンが変わるときに撮影を行うことができる。すなわち、画像撮影装置１によれば、簡単な構成で必要な撮影画像のみを保存することができる。
【００２４】
また、図１に示す画像撮影装置１は、ユーザの目の前のシーンが変わるときに撮影を行うことができるので、同じような画像が撮影されず余分な画像が記録されなくなるため、消費電力やメモリ７の容量を低減することができる。また、同じような画像が記録されないため、ウェブログを作成する際に画像の整理を容易にすることができる。
【００２５】
図３は、本発明の他の実施形態の画像撮影装置を示す図である。なお、図１に示す構成と同じ構成には同じ符号を付している。
図３に示す画像撮影装置１１は、ＣＰＵ２と、電源スイッチ３と、分光測色計１２と、色差算出部１３と、撮像部６と、メモリ７と、表示部８と、操作部９と、メディア記録部１０とを備えて構成されている。
【００２６】
分光測色計１２は、画像撮影装置１１周辺の光である環境光を計測する。
色差算出部１３は、分光測色計１２の出力から色差を算出する。
なお、図３に示すメモリ７に記録される所定値は色差算出部１３が算出した色差やユーザの目の前のシーンの変化などから求められる値とする。
【００２７】
図４は、画像撮影装置１１におけるＣＰＵ２の動作のフローチャートを示す図である。
まず、電源スイッチ３がオンし、ＣＰＵ２が起動すると、ＣＰＵ２は、分光測色計１２及び色差算出部１３を起動させる。（ステップＳＴ１）
次に、ＣＰＵ２は、色差算出部１３で算出される色差を読み込む。（ステップＳＴ２）
次に、ＣＰＵ２は、読み込んだ色差がメモリ７に記録される所定値以上であるか否かを判断する。（ステップＳＴ３）
読み込んだ色差が所定値以上でないと判断した場合（ステップＳＴ３がＮｏ）、ＣＰＵ２は、ステップＳＴ２に戻り、再び色差を読み込む。
【００２８】
一方、読み込んだ色差が所定値以上であると判断した場合（ステップＳＴ３がＹｅｓ）、ＣＰＵ２は、撮像部６を起動させる。（ステップＳＴ４）
次に、ＣＰＵ２は、撮像部６へ撮影指示を送り撮像部６に撮影を行わせる。（ステップＳＴ５）
次に、ＣＰＵ２は、撮像部６で撮影された画像をメモリ７やメディアなどに記録する。（ステップＳＴ６）
次に、ＣＰＵ２は、撮像部６を停止させる。（ステップＳＴ７）
次に、ＣＰＵ２は、読み込んだ色差をリセットした後（ステップＳＴ８）、ステップＳＴ２に戻り、再び色差を読み込む。
【００２９】
そして、電源スイッチ３がオフされるまでステップＳＴ２〜ステップＳＴ８が繰り返される。
なお、図３に示す画像撮影装置１１は、分光測色計１２の出力から算出される環境光の変化量としての色差が所定値以上であるときのみ撮影を行う構成であるが、環境光の明るさや色温度などその他の環境光の変化量が所定値以上であるときのみ撮影を行うように構成してもよい。
【００３０】
また、図１に示す画像撮影装置１と図３に示す画像撮影装置１１とを組み合わせてもよい。すなわち、画像撮影装置１に分光測色計１２及び色差算出部１３をさらに備え、カウンタ５のカウント値及び色差算出部１３により算出される色差の両方または一方が所定値以上であるとき撮影を行うように構成してもよい。
【００３１】
図３に示す画像撮影装置１１は、分光測色計１２の出力から算出された色差が所定値以上であるときのみ撮影を行うように構成しているので、上述の画像撮影装置１と同様に、ＧＰＳを用いてユーザの所定移動距離毎に撮影を行う構成に比べて、簡単な構成で、かつ、室内や車内などにおいても確実にユーザが移動する度に撮影を行うことができる。また、図３に示す画像撮影装置１１は、ユーザが移動したときのみ撮影を行うことができるので、時計を用いて一定時間経過毎に撮影を行う構成に比べて、より高い確率でユーザの目の前のシーンが変わるときに撮影を行うことができる。すなわち、画像撮影装置１１によれば、簡単な構成で必要な撮影画像のみを保存することができる。
【００３２】
また、図３に示す画像撮影装置１１は、ユーザの目の前のシーンが変わるときに撮影を行うことができるので、同じような画像が撮影されず余分な画像が記録されなくなるため、消費電力やメモリ７の容量を低減することができる。また、同じような画像が記録されないため、ウェブログを作成する際に画像の整理を容易にすることができる。
【００３３】
図５は、さらに他の実施形態の画像撮影装置におけるＣＰＵの動作のフローチャートを示す図である。なお、図５で説明する画像撮影装置の構成は、図３に示す画像撮影装置１１に示す構成と同じとする。
【００３４】
まず、電源スイッチ３がオンし、ＣＰＵ２が起動すると、ＣＰＵ２は、分光測色計１２及び色差算出部１３を起動させる。（ステップＳＴＥＰ１）
次に、ＣＰＵ２は、色差算出部１３で算出される色差を読み込む。（ステップＳＴＥＰ２）
次に、ＣＰＵ２は、読み込んだ色差がメモリ７に記録される所定値以上であるか否かを判断する。（ステップＳＴＥＰ３）
読み込んだ色差が所定値以上でないと判断した場合（ステップＳＴＥＰ３がＮｏ）、ＣＰＵ２は、ステップＳＴＥＰ２に戻り、再び色差を読み込む。
【００３５】
一方、読み込んだ色差が所定値以上であると判断した場合（ステップＳＴＥＰ３がＹｅｓ）、ＣＰＵ２は、撮像部６を起動させる。（ステップＳＴＥＰ４）
次に、ＣＰＵ２は、撮像部６へ撮影指示を送り撮像部６に撮影を行わせる。（ステップＳＴＥＰ５）
次に、ＣＰＵ２は、撮影された画像内の人物の数を検出する。（ステップＳＴＥＰ６）
次に、ＣＰＵ２は、メモリ７にその数を記録する。（ステップＳＴＥＰ７）
次に、ＣＰＵ２は、メモリ７に記録される今回撮影の人物の数とメモリ７に記録される前回撮影の人物の数とが同じであるか否かを判断する。（ステップＳＴＥＰ８）
今回撮影の人物の数と前回撮影の人物の数とが同じであると判断した場合（ステップＳＴＥＰ８がＹｅｓ）、ＣＰＵ２は、今回撮影された画像をメモリ７やメディアなどに記録しない。（ステップＳＴＥＰ９）
一方、今回撮影の人物の数と前回撮影の人物の数とが同じでないと判断した場合（ステップＳＴＥＰ８がＮｏ）、ＣＰＵ２は、今回撮影された画像をメモリ７やメディアに記録する。（ステップＳＴＥＰ１０）
次に、ＣＰＵ２は、撮像部６を停止させる。（ステップＳＴＥＰ１１）
次に、ＣＰＵ２は、読み込んだ色差をリセットした後（ステップＳＴＥＰ１２）、ステップＳＴ２に戻り、再び色差を読み込む。
【００３６】
そして、電源スイッチ３がオフされるまでステップＳＴＥＰ２〜ステップＳＴＥＰ１２が繰り返される。
画像内の人物の数の検出方法としては、例えば、画像内の人物の顔を認識して顔の数を数え、その認識した顔の数を画像内の人物の数とする方法がある。顔の認識方法の一例を説明する。
【００３７】
まず、画像内において人の顔を構成する要素である目、鼻、口を検出する。目、鼻、口の検出方法としては、例えば、画像の輝度分布に基づいて検出する方法がある。予め目、鼻、口の各部分の輝度分布をメモリ７などに記録しておき、撮像部６で撮影された画像全体の輝度分布の中に、予め記録しておいた目、鼻、口の各部分の輝度分布に近い輝度分布をそれぞれ見つけ、それら目、鼻、口の各位置を求める。
【００３８】
次に、撮像部６で撮影された画像内における目、鼻、口の互いの位置関係と、予めメモリ７などに記録される目、鼻、口の互いの位置関係とを照合し、相関度合いを計算する。
次に、計算した相関度合いが所定値以上である場合、撮像部６で撮影された画像内に顔があると認識し、計算した相関度合いが所定値よりも小さい場合、または、目、鼻、もしくは口が見つけられない場合、撮像部６で撮影された画像内に顔がないと認識する。
【００３９】
上述の動作を繰り返し行い、もう顔を認識できなくなったらそれまで認識した顔の数を画像内の人物の数とする。
なお、図５に示す実施形態では、分光測色計１２の出力から算出される環境光の変化量としての色差が所定値以上であるときのみ撮影画像内の人物の数の変化を検出する構成であるが、環境光の明るさや色温度などその他の環境光の変化量が所定値以上であるときのみ撮影画像内の人物の数の変化を検出するように構成してもよい。
【００４０】
図５に示す実施形態では、分光測色計１２の出力から算出された色差が所定値以上であるときのみ撮影を行うように構成しているので、上述の画像撮影装置１１と同様に、ＧＰＳを用いてユーザの所定移動距離毎に撮影を行う構成に比べて、簡単な構成で、かつ、室内や車内などにおいても確実にユーザが移動する度に撮影を行うことができる。また、図５に示す実施形態では、ユーザが移動したときのみ撮影を行うことができるので、時計を用いて一定時間経過毎に撮影を行う構成に比べて、より高い確率でユーザの目の前のシーンが変わるときに撮影を行うことができる。すなわち、画像撮影装置１１によれば、簡単な構成で必要な撮影画像のみを保存することができる。
【００４１】
また、図５に示す実施形態は、ユーザの目の前のシーンが変わるときに撮影を行うことができるので、同じような画像が撮影されず余分な画像が記録されなくなるため、消費電力やメモリ７の容量を低減することができる。また、同じような画像が記録されないため、ウェブログを作成する際に画像の整理を容易にすることができる。
【００４２】
また、図５に示す実施形態は、今回撮影された画像内の人物の数と前回撮影された画像内の人物の数が同じではないとき今回撮影された画像をメモリ７やメディアなどに記録する構成であるため、上記画像撮影装置１や上記画像撮影装置１１よりも高い確率でユーザの目の前のシーンが変わったときの画像を記録することができる。
【００４３】
また、図１に示す画像撮影装置１、図３に示す画像撮影装置１１、または、図５に示す実施形態では、画像撮影装置単体で自動的に撮影を行う構成であるが、ネットワークを介してサーバから送信される撮影指示に基づいて画像撮影装置が撮影を行う画像撮影システムを構築してもよい。
【００４４】
図６は、本発明の実施形態の画像撮影システムを示す図である。なお、図１に示す構成と同じ構成には同じ符号を付している。
図６に示す画像撮影システム１４は、画像撮影装置１５と、歩数検出装置１６と、サーバ１７とを備えて構成され、画像撮影装置１５と歩数検出装置１６はそれぞれサーバ１７とネットワークを介して通信可能とする。なお、画像撮影装置１５及び歩数検出装置１６は、それぞれ、ユーザの体に取り付けられるものとする。
【００４５】
画像撮影装置１５は、ＣＰＵ２と、電源スイッチ３と、撮像部６と、メモリ７と、表示部８と、操作部９と、メディア記録部１０と、ネットワーク通信部１８（第１のネットワーク通信手段）とを備えて構成されている。
【００４６】
歩数検出装置１６は、振動計４と、カウンタ５と、ネットワーク通信部１９（第２のネットワーク通信手段）とを備えて構成されている。
サーバ１７は、ＣＰＵ２０と、メモリ２１と、ネットワーク通信部２２（第３のネットワーク通信手段）とを備えて構成されている。
【００４７】
次に、画像撮影システム１４の動作について説明する。
まず、歩数検出装置１６において、振動計４で検出される振動数がカウンタ５によりカウントされ、そのカウント値がネットワーク通信部１９によりサーバ１７へ送信される。
【００４８】
次に、サーバ１７において、ＣＰＵ２０は、ネットワーク通信部２２に受信されるカウント値がメモリ２１に記録される所定値以上になると、撮影指示をネットワーク通信部２２を介して画像撮影装置１５へ送信すると共に、そのカウンタ値をリセットする。
【００４９】
そして、画像撮影装置１５において、ＣＰＵ２は、ネットワーク通信部１８に受信される撮影指示に基づいて撮像部６を起動させて撮影を行わせる。
なお、ＣＰＵ２０は、図４や図５に示す動作を行うようにしてもよい。例えば、画像撮影システム１４が画像撮影装置１５と環境光検出装置とサーバ１７とを備え、環境光検出装置が分光測色計１２と色差算出部１３とネットワーク通信部１９（第２のネットワーク通信手段）とを備えて構成される場合、まず、環境光検出装置において、色差算出部１３により分光測色計１２の出力から色差が求められ、その色差がネットワーク通信部１９によりサーバ１７へ送信される。次に、サーバ１７において、ＣＰＵ２０は、ネットワーク通信部２２に受信される色差がメモリ２１に記録される所定値以上になると、撮影指示をネットワーク通信部２２を介して画像撮影装置１５へ送信すると共に、その色差をリセットする。そして、画像撮影装置１５において、ＣＰＵ２は、ネットワーク通信部１８に受信される撮影指示に基づいて撮像部６を起動させて撮影を行わせる。
【００５０】
図６に示す画像撮影システム１４は、カウンタ５のカウント値が所定値以上であるときのみ撮影を行っているので、上述の画像撮影装置１と同様に、ＧＰＳを用いてユーザの所定移動距離毎に撮影を行う構成に比べて、簡単な構成で、かつ、室内や車内などにおいても確実にユーザが移動する度に撮影を行うことができる。また、図６に示す画像撮影システム１４では、ユーザが移動したときのみ撮影を行うことができるので、時計を用いて一定時間経過毎に撮影を行う構成に比べて、より高い確率でユーザの目の前のシーンが変わるときに撮影を行うことができる。すなわち、画像撮影システム１４によれば、簡単な構成で必要な撮影画像のみを保存することができる。
【００５１】
また、図６に示す画像撮影システム１４は、ユーザの目の前のシーンが変わるときに撮影を行うことができるので、同じような画像が撮影されず余分な画像が記録されなくなるため、消費電力やメモリ７の容量を低減することができる。また、同じような画像が記録されないため、ウェブログを作成する際に画像の整理を容易にすることができる。
【００５２】
また、図６に示す画像撮影システム１４は、撮像部６を動作させるか否かの判断をサーバ１７で行なうように構成しているので、その判断を画像撮影装置１５または歩数検出装置１６で行う場合に比べて、画像撮影装置１５または歩数検出装置１６の負荷を軽くすることができ、画像撮影装置１５または歩数検出装置１６の消費電力をさらに低減することができる。
【図面の簡単な説明】
【００５３】
【図１】本発明の実施形態の画像撮影装置を示す図である。
【図２】本実施形態の画像撮影装置におけるＣＰＵの動作のフローチャートを示す図である。
【図３】本発明の他の実施形態の画像撮影装置を示す図である。
【図４】他の実施形態の画像撮影装置におけるＣＰＵの動作のフローチャートを示す図である。
【図５】さらに他の実施形態の画像撮影装置におけるＣＰＵの動作のフローチャートを示す図である。
【図６】本発明の実施形態の画像撮影システムを示す図である。
【符号の説明】
【００５４】
１  画像撮影装置
２  ＣＰＵ
３  電源スイッチ
４  振動計
５  カウンタ
６  撮像部
７  メモリ
８  表示部
９  操作部
１０  メディア記録部
１１  画像撮影装置
１２  分光測色計
１３  色差算出部
１４  画像撮影システム
１５  画像撮影装置
１６  歩数検出装置
１７  サーバ
１８  ネットワーク通信部
１９  ネットワーク通信部
２０  ＣＰＵ
２１  メモリ
２２  ネットワーク通信部
【図１】
2008236413.tif 000003
【図２】
2008236413.tif 000004
【図３】
2008236413.tif 000005
【図４】
2008236413.tif 000006
【図５】
2008236413.tif 000007
【図６】
2008236413.tif 000008